(57)【要約】  【課題】閉時のシールが確実で、温度制御の信頼性が高く、かつ小型で安価なダンパー装置を提供する。  【解決手段】開口部５を有する樹脂製のフレーム部４と、開口部５を開閉するバッフル７と、バッフル７を駆動する駆動部２を具備したダンパー装置１において、フレームを、少なくとも開口部５を形成する板状の開口形成部６と、開口部形成部６の相対する縁に設けられた側壁４ａ、４ｂ、４ｃと、開口部５の外周にバッフル７に向けて突出するよう設けられた当接部９を具備する構成とし、開口形成部６に設けられたリブ１０、１１、１２、１３、１４、１５により、側壁４ａ、４ｂ、４ｃと当接部９を接続し支える構成とした。これにより、金型成型に伴う変形を抑制したダンパー装置が得られるものである。【選択図】図２
2010019520.tif 000002
【特許請求の範囲】
【請求項１】
開口部を有する樹脂製のフレームと、前記開口部を開閉するバッフルと、前記バッフルを駆動する駆動部を具備したダンパー装置において、前記フレームを、少なくとも前記開口部を形成する板状の開口形成部と、前記開口部形成部の相対する縁に設けられた側壁と、前記開口部の外周にバッフルに向けて突出するよう設けられた当接部を具備する構成とし、前記側壁と前記当接部を接続するリブを、前記開口形成部に設けたダンパー装置。
【請求項２】
前記開口部を長手と短手を有する矩形とし、前記リブを、前記長手方向の側壁と平行であって前記開口部の長手方向に延びる横リブとした請求項１に記載のダンパー装置。
【請求項３】
前記開口部を長手と短手を有する矩形とし、前記リブを、前記短手方向の側壁と平行であって前記開口部の短手方向に延びる縦リブとした請求項１または２に記載のダンパー装置。
【請求項４】
前記開口形成部における前記側壁が交差した角部に、前記角部を含み略三角形の空間を形成する角リブを設けた請求項１から３のいずれか一項に記載のダンパー装置。
【請求項５】
前記角リブの略中央に前記リブの一端が接続される構成とした請求項４に記載のダンパー装置。
【請求項６】
前記フレームにおける短手の一方の側壁に、前記駆動部を取付ける取付け部を設け、前記側壁における長手側壁と取付け部が交差する角部に、前記フレームの長手方向に延びる拡面部を設けた請求項２から５のいずれか一項に記載のダンパー装置。
【請求項７】
少なくとも前記拡面部と連続する長手側壁の中間部分を、該長手側壁の幅が小さくなる方向に切欠いた請求項６に記載のダンパー装置。
【請求項８】
前記切欠きの形成に伴い、前記長手側壁と短手側壁で形成される角部に、所定の面積を形成する角フランジを設けた請求項７に記載のダンパー装置。
【請求項９】
物品を収納する収納空間を具備した貯蔵装置本体に、冷却熱源あるいは加熱熱源と、前記冷却熱源あるいは加熱熱源によって冷却あるいは加熱された空気を前記収納空間へ供給する通風路を設け、さらに、前記通風路に、前記収納空間へ供給される空気の供給量を制御するダンパー装置を設け、前記ダンパー装置を、請求項１から８のいずれか一項に記載のダンパー装置とした物品貯蔵装置。
【発明の詳細な説明】
【技術分野】
【０００１】
本発明は、開口部をバッフルにより開閉させるダンパー装置で、物品貯蔵装置に設けられ、特に冷蔵庫内部の冷風の風路を開閉して、温度を調整するダンパー装置およびそれを具備する物品貯蔵装置に関するものである。
【背景技術】
【０００２】
従来から冷蔵庫庫内にある複数の冷蔵室温度を制御する手段として、冷却器から各冷蔵室へ通じる冷気の風路をバッフルにて開閉し、各冷蔵室に流入する冷気量を制御するダンパー装置が採用されており、これらは大別して一つの駆動源により一つのバッフルを動作させる方式と、一つの駆動源により二つのバッフルを動作させる方式がある。
【０００３】
前記一つの駆動源により一つのバッフルを動作させる方式は、モータの回転制御により一つの開口部を開閉動作させるもので、この代表的なダンパー装置として、特許文献１に記載されたものが知られている。
【０００４】
図６から図８は、特許文献１に記載された従来のダンパー装置を示すもので、図６はダンパー装置の正面図、図７はダンパー装置を裏から見た背面図、図８はダンパー装置の一部を断面した平面図である。
【０００５】
図６から図８に示すように、このダンパー装置１００は、樹脂製のフレーム１０１とフレーム１０１に設けられた開口部１０２と、開口部１０２を形成する開口形成部１０１ａと、フレーム１０１の側面に設けられた側壁１０１ｂと、開口部１０２の周囲に設けられた突出部１０３と、開口部１０２を開閉するバッフル１０４と、バッフル１０４に貼り付けられたソフトテープ１０５と、フレーム１０１の側面に配置されたバッフル１０４を開閉動作させる駆動部１０６とから構成されている。
【０００６】
ここで、駆動部１０６には、モータ（図示せず）と、前記モータの回転を減速し、バッフル１０４に連結された回転軸１０７に伝達する減速機構（図示せず）が内蔵されている。
【０００７】
そして、ダンパー装置１００は、駆動部１０６に内蔵されたモータの駆動によってバッフル１０４が所定角度の範囲で正逆転方向に回転することにより、開口部１０２が開閉され、気流の流通あるいは遮断を制御することができる構成となっている。
【特許文献１】特開２００３−３２２４５５号公報
【発明の開示】
【発明が解決しようとする課題】
【０００８】
しかしながら、上記従来の構成は、フレーム１０１の側壁１０１ｂの一端に偏って開口形成部１０１ａと突出部１０３を有し、断面が略コの字形状となっているために、樹脂成型時の冷却のバランスが悪く、開口形成部１０１ａおよび突出部１０３を具備する側は、これらを具備しない側に比較して冷却が遅くなり、その冷却の遅延によってフレーム１０１全体が破線で示す如く湾曲し易い構成であった。
【０００９】
上述の如くフレーム１０１に湾曲（反り）が発生した状態でバッフル１０４等を組込んだ場合、バッフル１０４の閉塞状態であってもバッフル１０４（ソフトテープ１０５）と突出部１０３の間に隙間が生じ、この隙間から冷気（気体）が漏れる等の不具合が発生するものであった。
【００１０】
特に、かかるダンパー装置１００を冷蔵庫等の冷気制御に用いた場合は、庫内の温度を確実に制御することができなくなるという課題を有していた。
【００１１】
また、上記従来の構成において、薄型をはかるためにフレーム１０１における側壁１０１ｂの幅（奥行）寸法Ｔを小さくすることが考えられるが、上述の如く、側壁１０１ｂの一端に偏って開口形成部１０１ａおよび突出部１０３を設けた構成であることから、前述の反りの課題を解決することはできない。
【００１２】
本発明は、上記従来の課題を解決するもので、バッフルの閉時のシール性を確実なものとし、さらに、冷蔵庫等の気流制御に用いた場合であっても信頼性が高い温度制御が行なえ、また、小型で安価なダンパー装置を提供することを目的とする。
【課題を解決するための手段】
【００１３】
上記従来の課題を解決するために、本発明のダンパー装置は、ダンパー装置を構成するフレームを、少なくとも前記開口部を形成する板状の開口形成部と、前記開口部形成部の相対する縁に設けられた側壁と、前記開口部の外周にバッフルに向けて突出するよう設けられた当接部を具備する構成とし、前記側壁と前記当接部を前記開口形成部に設けたリブによって接続する構成としたものである。
【００１４】
かかることにより、前記側壁と前記当接部を前記リブにより支えることができ、その結果、前記冷却速度のアンバランスに起因するフレームの撓み、変形を抑制することができる。
【００１５】
また、前記リブを設けることによって、前記フレームにおける側壁および前記開口形成部の補強が可能となり、特に前記フレームにおける長手方向の強度の向上がはかれ、その結果、側壁の幅が薄くでき、ダンパー装置の小型化がはかれるものである。
【発明の効果】
【００１６】
本発明のダンパー装置は、バッフルの全閉時におけるシール性を確実なものとし、信頼性を高めることができるものである。また、そのダンパー装置を冷蔵庫等の物品貯蔵装置の温度制御用として用いた場合、信頼性の高い温度制御作用を得ることができ、また、小型化が可能なダンパー装置であるため、その組み込みに伴い冷蔵庫等の物品貯蔵装置の収納容積を必要以上に削減することもないものである。
【発明を実施するための最良の形態】
【００１７】
請求項１に記載の発明は、開口部を有する樹脂製のフレームと、前記開口部を開閉するバッフルと、前記バッフルを駆動する駆動部を具備したダンパー装置において、前記フレームを、少なくとも前記開口部を形成する板状の開口形成部と、前記開口部形成部の相対する縁に設けられた側壁と、前記開口部の外周にバッフルに向けて突出するよう設けられた当接部を具備する構成とし、前記側壁と前記当接部を接続するリブを、前記開口形成部に設けたものである。
【００１８】
これによって、前記側壁と前記当接部を前記リブにより支えることができ、その結果、前記冷却速度のアンバランスに起因するフレームの撓み、変形を抑制することができる。
【００１９】
したがって、前記バッフルの全閉状態におけるシール性が確保でき、冷蔵庫等の物品貯蔵装置に組込んだ場合、信頼性の高い温度制御作用を得ることができるものである。
【００２０】
また、これによって、フレームの補強が可能となり、フレームの強度向上がはかれ、さらにその補強により、フレームの幅を可能な限り薄くでき、さらにはフレームの肉厚を薄くすることが可能となる。その結果、ダンパー装置を、小型で安価なものとすることができる。
【００２１】
請求項２に記載の発明は、請求項１に記載の発明において、前記開口部を長手と短手を有する矩形とし、前記リブを、前記長手方向の側壁と平行であって前記開口部の長手方向に延びる横リブとしたものである。
【００２２】
これによって、長手方向におけるフレームの補強が可能となり、フレームの強度向上がはかれ、さらにその補強により、フレームの幅を可能な限り薄くでき、さらにはフレームの肉厚を薄くすることが可能となる。その結果、ダンパー装置を、小型で安価なものとすることができる。
【００２３】
請求項３に記載の発明は、請求項１または２に記載の発明において、前記開口部を長手と短手を有する矩形とし、前記リブを、前記短手方向の側壁と平行であって前記開口部の短手方向に延びる縦リブとしたものである。
【００２４】
これによって、長手方向の側壁を支えることによるフレームの補強が可能となり、フレームの強度向上がはかれ、さらにその補強により、フレームの幅を可能な限り薄くでき、さらにはフレームの肉厚を薄くすることが可能となる。その結果、ダンパー装置を、小型で安価なものとすることができる。
【００２５】
請求項４に記載の発明は、請求項１から３のいずれか一項に記載の発明において、前記開口形成部における前記側壁が交差した角部に、前記角部を含み略三角形の空間を形成する角リブを設けたものである。
【００２６】
これによって、フレームの角部の補強がより強固に行え、その結果、フレームのねじれに対する強度の向上が可能となり、フレームの幅ならびに肉厚をより薄くすることが可能となる。
【００２７】
請求項５に記載の発明は、請求項４に記載の発明において、前記角リブの略中央に前記リブの一端が接続される構成としたものである。
【００２８】
かかる構成とすることにより、前記フレームのさらなる補強が可能となり、特に前記リブと角リブの連結により、フレームのねじれに対する強度を向上することができるものである。
【００２９】
請求項６に記載の発明は、請求項２から５のいずれか一項に記載の発明において、前記フレームにおける短手の一方の側壁に、前記駆動部を取付ける取付け部を設け、前記側壁における長手側壁と取付け部が交差する角部に、前記フレームの長手方向に延びる拡面部を設けたものである。
【００３０】
かかる構成によれば、前記拡面部の形成により、ダンパー装置の取付け時における取付け面積、例えばダクト側面との当接面積が確保でき、ダンパー装置の取付けを安定した構成とすることができる。
【００３１】
請求項７に記載の発明は、請求項６に記載の発明において、少なくとも前記拡面部と連続する長手側壁の中間部分を、該長手側壁の幅が小さくなる方向に切欠いたものである。
【００３２】
かかる構成とすることにより、長手側壁の幅寸法を小さくすることができ、材料使用量の削減、およびダンパー装置の小型・軽量化が可能となり、また短手側壁の幅寸法は適宜確保できるため、短手側壁側においても、ダンパー装置の取付け時における取付け面積、例えばダクト側面との当接面積が確保でき、ダンパー装置の取付けを安定した構成とすることができる。
【００３３】
請求項８に記載の発明は、請求項７に記載の発明において、前記切欠きの形成に伴い、前記長手側壁と短手側壁で形成される角部に、所定の面積を形成する角フランジを設けたものである。
【００３４】
かかる構成とすることにより、前記取付け面の確保と、前記側壁の補強が可能となり、その結果、ダンパー装置のより安定した取付けが行え、さらには前記側壁の連結補強に起因してフレームの補強が可能となるものである。
【００３５】
請求項９に記載の発明は、物品を収納する収納空間を具備した貯蔵装置本体に、冷却熱源あるいは加熱熱源と、前記冷却熱源あるいは加熱熱源によって冷却あるいは加熱された空気を前記収納空間へ供給する通風路を設け、さらに、前記通風路に、前記収納空間へ供給される空気の供給量を制御するダンパー装置を設け、前記ダンパー装置を、請求項１から８のいずれか一項に記載のダンパー装置とした物品貯蔵装置である。
【００３６】
かかることにより、金型成型加工されたダンパー装置であっても、熱歪が少なく、品質が安定したダンパー装置であることから、収納空間への空気の供給・停止が安定して行え、特に空気の供給停止時は、バッフルにより閉塞されたフレームの開口部からの空気の漏れが抑制され、安定した温度管理等が行える信頼性の高い物品貯蔵装置を提供することができるものである。
【００３７】
以下、本発明の実施の形態について説明する。なお、この実施の形態によって本発明が限定されるものではない。
【００３８】
（実施の形態１）
図１は、本発明の実施の形態１におけるダンパー装置の一部を切欠いた正面図、図２は、同ダンパー装置を構成するバッフルを除いたフレーム部の正面図、図３は、同ダンパー装置を裏側から見た背面図、図４は図１のＸ―Ｘ線による同ダンパー装置の断面図、図５は、同ダンパー装置における一部を断面した構成を示す平面図である。
【００３９】
図１から図５において、ダンパー装置１は、内部に減速機構等を具備するギヤードタイプのモータ、前記モータの出力軸に設けられた出力歯車、前記出力歯車に噛み合い、前記モータの回転を減速出力する減速機構等（いずれも図示せず）を具備した駆動部２と、駆動部２を取付ける取付け部３と、取付け部３と直角方向に延出したフレーム部４を具備した構成である。
【００４０】
ここで、駆動部２は、電源接続用のハーネス部２ａが設けられており、また、駆動部２の減速出力構造は、周知の構成でよいため、ここでは詳細な説明を省略する。
【００４１】
取付け部３とフレーム部４は、樹脂材料からなり、金型成形加工によって形成される。そして、フレーム部４は、所定の幅寸法Ｔ（図５）で取付け部３を含み矩形の４辺を形成する如く、一対の長手側壁部４ａ、４ｂと、短手側壁部４ｃを具備している。また、短手側壁部の他方は、取付け部３が兼ねている。さらに、フレーム部４には、前記４辺で形成される空間面内において、略中央部に大きく矩形の開口部５を具備した板状の開口形成部６が一体に設けられている。
【００４２】
開口形成部６は、前記長手、短手の各側壁部４ａ、４ｂ、４ｃの端部に設けられており、したがって、各側壁部４ａ、４ｂ、４ｃの片側が、開口形成部６から延出した形状となっている。
【００４３】
さらに、取付け部３と短手側壁部４ｃの間には、開口部５を開閉するバッフル７が取付けられている。具体的には、バッフル７の一端において両側に軸部が設けられており、この軸部がバッフル７の一端側（ここでは説明の便宜上下端側とする）に軸支されている。バッフル７における取付け部３側は、駆動部２より延出した駆動軸２ｂと嵌合する雌型の軸部７ａが形成され、短手側壁部４ｃ側は、短手側壁部４ｃに形成された軸穴に嵌合する雄型の軸部７ｂが形成された構成となっている。
【００４４】
また、バッフル７における開口形成部６と対向する面には、弾性を有するソフトフォーム８が設けられており、バッフル７の全閉状態においては、ソフトフォーム８によって開口部５が塞がれるように構成されている。
【００４５】
さらに、開口部５の周囲には、図４、図５に示す如くバッフル７側に突出する当接部９が一体に形成されている。したがって、バッフル７の閉塞状態においては、ソフトフォーム８が当接部９に当接し、ソフトフォーム８の弾性変形作用にてバッフル７の閉塞状態のシール性を確保することができる構成となっている。
【００４６】
また、開口形成部６には、開口部５の両端に、長手側壁部４ａ、４ｂと平行であって開口部５の長手方向に延びるとともに当接部９と短手側壁部４ｃおよび取付け部３を接続する横リブ１０、１１、１２、１３が設けられている。
【００４７】
さらに、開口部５の中央部付近には、短手側壁部４ｃと平行であって開口部５の短手方向に延びるとともに、当接部９と長手側壁部４ａ、４ｂを接続する縦リブ１４、１５が設けられている。
【００４８】
さらに、取付け部３と側壁部４ａで形成される角部には、該角部を含み略三角形の空間を形成する角リブ１６が設けられている（図２）。そして、角リブ１６の略中央に横リブ１３が連結している。
【００４９】
また、長手側壁部４ａにおける取付け部３が交差する角部には、図４、図５に示す如く取付け部３より長手側壁部４ａ方向に延びる拡面部１７が取付け部３および長手側壁部４ａと面一となるように設けられている。
【００５０】
そして、拡面部１７と連続する長手側壁部４ａの中間部分は、該長手側壁部４ａの幅Ｔが小さくなる方向にｔ寸法切欠いた形状となっている（図５）。また、長手側壁部４ａと対向する長手側壁部４ｂの幅寸法も、同様に短手側壁部４ｃの幅寸法Ｔよりも小さな寸法に形成されている。
【００５１】
さらに、長手側壁部４ａ、４ｂの幅寸法の縮小に伴い、該長手側壁部４ａと短手側壁４ｃで形成される角部には、所定の面積を形成する角フランジ１８が設けられている。
【００５２】
以上のように構成されたダンパー装置１の動作について説明する。
【００５３】
バッフル７は、上述の如く駆動部２の動力を受け、駆動軸２ｂによって所定角度の範囲で往復回動し、開口部５を全閉状態から全開状態、全開状態から全閉状態の動作を行う。また必要に応じてその途中でバッフル７の回動を停止し、流通する空気の量を制御することもできる。かかる動作は、周知の動作内容であるので、詳細な説明を省略する。
【００５４】
したがって、上記構成からなるダンパー装置１は、バッフル７の回転動作により、開口部５を開閉することができるため、例えば冷蔵庫等の冷気通路内、あるいはダクト内に配置されることにより、冷気の流通（流量）を制御し、貯蔵室内の温度を略一定に維持することができる。
【００５５】
また、上記ダンパー装置１は、上記構成により以下の特徴を有するものである。
【００５６】
すなわち、フレーム部４を構成する長手側壁部４ａ、４ｂおよび短手側壁部４ｃが所定幅Ｔの板状に形成され、開口形成部６に設けられた横リブ１０、１１、１２、１３と縦リブ１４、１５と角リブ１６により、当接部９と短手側壁部４ｃ、および取付け部３を接続する構成であるため、横リブ１０、１１、１２、１３と縦リブ１４、１５と角リブ１６により、長手側壁部４ａ、４ｂおよび短手側壁部４ｃと当接部９を支えることができる。その結果、金型成形加工時において、樹脂の冷却速度のアンバランスに起因するフレーム部４の撓み、変形を抑制することができる。
【００５７】
したがって、バッフル７の全閉状態においては、ソフトフォーム８が開口部５の周縁に設けた当接部９に略均一に当接し、シール性を確保する。その結果、かかるダンパー装置１を、冷蔵庫等の物品貯蔵装置に組込んだ場合、信頼性の高い温度制御作用を得ることができるものである。
【００５８】
また、開口部５は、長手と短手を有する矩形であり、開口形成部６に、長手側壁部４ａ、４ｂと平行であって開口部５の長手方向に延びる横リブ１０、１１、１２、１３を設けたことにより、長手方向におけるフレーム部４の補強が可能となり、フレーム部４の強度向上をはかることができる。さらにその補強により、フレーム部４の幅を可能な限り薄くでき、さらにはフレーム部４の肉厚を薄くすることが可能となる。その結果、ダンパー装置１を小型で安価なものとすることができる。
【００５９】
また、開口形成部６に、短手側壁４ｃと平行であって開口部５の短手方向に延びる縦リブ１４、１５を設けたことにより、長手側壁部４ａ、４ｂの補強が可能となり、フレーム部４の強度向上をはかることができる。さらにその補強により、フレーム部４の幅を可能な限り薄くでき、さらにはフレーム部４の肉厚を薄くすることが可能となる。その結果、ダンパー装置１を小型で安価なものとすることができる。
【００６０】
また、開口形成部６における直交する長手側壁部４ｂと取付け部３によって形成される角部に、該角部を含み略三角形の空間を形成する角リブ１６を設けたことにより、フレーム部４の角部の補強がより強固に行え、その結果、フレーム部４のねじれに対する強度をさらに確保することができ、フレーム部４の幅Ｔならびに肉厚をより薄くすることが可能となる。
【００６１】
しかも、角リブ１６の略中央に、横リブ１３の一端が接続されているため、フレーム部４のさらなる補強が可能となり、特に角リブ１６と横リブ１３の連結により、フレーム部４のねじれに対する強度を一層向上することができるものである。
【００６２】
また、フレーム部４における短手の一方の側壁に、駆動部２を取付ける取付け部３を設け、側壁における長手側壁４ａと取付け部３が交差する角部に、フレーム部４の長手方向に延びる拡面部１７（図５）を設けたことにより、ダンパー装置１の取付け時における取付け面積、例えば図４、図５の破線ハッチング部で示すダクトＤ（本発明の通風路に相当）の側面との当接面積が確保でき、ダンパー装置１の取付けを安定した構成とすることができる。
【００６３】
さらに、拡面部１７と連続する長手側壁部４ａの中間部分を、ｔ寸法切欠き、長手側壁部４ａの幅Ｔを小さくすることにより、材料使用量の削減、およびダンパー装置１の小型・軽量化が可能となり、また、長手側壁部４ｂの幅も小さくでき、前述の効果を助長することができる。さらに、長手側壁部４ａ、４ｂとは別に短手側壁部４ｃの幅寸法Ｔは適宜確保できるため、短手側壁４ｃ側においても、ダンパー装置１の取付け時における取付け面積、例えば、図４および図５に示す如くダクト側面との当接面積が確保でき、ダンパー装置１の取付けを安定した構成とすることができる。
【００６４】
また、ｔ寸法の切欠きに伴い、長手側壁４ａと短手側壁４ｃで形成される角部に、所定の面積を形成する角フランジ１８（図５）を設けたことにより、長手側壁部４ａの補強と前述の如くダンパー装置１の取付け面の増大がはかれ、ダンパー装置１のより安定した取付けが可能となる。さらには、長手側壁部４ａと短手側壁部４ｃの連結補強に起因してフレーム部４の補強が可能となるものである。
【００６５】
以上のように、本実施の形態１におけるダンパー装置１は、金型樹脂成型される構成において、反り等が極めて生じ難い構成であり、バッフル７の特に全閉時におけるシール性を確実なものとし、高い信頼性を得ることができる。また、小型軽量化が可能であり、必要最小限の形態として安価に製造することができるものである。
【００６６】
さらに、本実施の形態１のダンパー装置１を搭載した冷蔵庫等の物品貯蔵装置においては、安定した動作が期待できるダンパー装置１の搭載により、収納空間への空気の供給・停止が安定して行え、特に空気の供給停止時は、バッフル７により閉塞されたフレーム部４の開口部５からの空気の漏れが抑制され、安定した温度管理等が行え、高い信頼性を得ることができるものである。
【産業上の利用可能性】
【００６７】
以上のように、本発明にかかるダンパー装置は、冷蔵庫に限らず、自動販売機等の機器にも搭載可能であり、流体通路を開閉し、流体の供給制御を行う用途に広く適用できる。
【図面の簡単な説明】
【００６８】
【図１】本発明の実施の形態１におけるダンパー装置の一部を切欠いた正面図
【図２】同実施の形態１のダンパー装置を構成するバッフルを除いたフレーム部の正面図
【図３】同実施の形態１におけるダンパー装置を裏側から見た背面図
【図４】図１のＸ―Ｘ線による同ダンパー装置の断面図
【図５】同実施の形態１におけるダンパー装置の一部を断面した構成を示す平面図
【図６】従来技術を示すダンパー装置の正面図
【図７】同ダンパー装置を裏から見た背面図
【図８】同ダンパー装置の一部を断面した平面図
【符号の説明】
【００６９】
１    ダンパー装置
２    駆動部
３    取付け部
４    フレーム部
４ａ  長手側壁部
４ｂ  長手側壁部
４ｃ  短手側壁部
５    開口部
６    開口形成部
７    バッフル
９    当接部
１０  横リブ
１１  横リブ
１２  横リブ
１３  横リブ
１４  縦リブ
１５  縦リブ
１６  角リブ
１７  拡面部
１８  角フランジ
Ｄ    ダクト（通風路）
【図２】
2010019520.tif 000003
【図３】
2010019520.tif 000004
【図５】
2010019520.tif 000005
【図６】
2010019520.tif 000006
【図７】
2010019520.tif 000007
【図８】
2010019520.tif 000008
【図１】
2010019520.tif 000009
【図４】
2010019520.tif 000010